(57)【要約】【課題】  長期の使用にも、初期設定した絵柄が確実に見えると共に、安価に製造される装身具を提供すること。【解決手段】  本考案の装身具１０は、下地金属から構成される装身具本体１２と、この装身具本体１２の外表面に、特定の絵柄を規定するように形成された複数の凹所１４と、各凹所１４の少なくとも底面に配設され、下地金属とは異なる材質の材料からなるメッキ層１６とを具備し、装身具本体１２の凹所１４以外の外表面を、下地金属の露出面とすることで、装身具本体１２の外表面に、特定の絵柄が浮き出るようにしたことを特徴としている。【選択図】図１
0003176553.tif 000002
【実用新案登録請求の範囲】
【請求項１】
下地金属から構成される装身具本体と、
この装身具本体の外表面に、特定の絵柄を規定するように形成された複数の凹所と、
各凹所の少なくとも底面に配設され、前記下地金属とは異なる材質の材料からなるメッキ層とを具備し、
前記装身具本体１２の前記凹所１４以外の外表面を、前記下地金属の露出面とすることで、前記装身具本体の外表面に、前記特定の絵柄が浮き出るようにしたことを特徴とする装身具。
【請求項２】
前記下地金属は、貴金属から構成されることを特徴とする請求項１に記載の装身具。
【請求項３】
前記メッキ層は、ブラックメッキ塗装により形成された層であることを特徴とする請求項２に記載の装身具。
【請求項４】
前記メッキ層の厚さは、前記凹所の深さよりも薄く設定されていることを特徴とする請求項３に記載の装身具。
【請求項５】
各凹所の底面に形成された複数の立爪と、
各立爪に係止された輝石とを更に具備し、
前記立爪は、前記凹所の前記底面に、一体的に形成されていることを特徴とする請求項１に記載の装身具。
【請求項６】
前記輝石は、前記凹所の底面に全面に渡り配設されていることを特徴とする請求項５に記載の装身具。
【請求項７】
前記輝石は、メレダイヤであることを特徴とする請求項６に記載の装身具。
【請求項８】
前記メッキ層は、前記立爪を含んで形成されていることを特徴とする請求項７に記載の装身具。
【請求項９】
前記立爪に取り付けられたメレダイヤの前記凹所の底面からの高さは、前記凹所の深さよりも低く設定されていることを特徴とする請求項８に記載の装身具。
【請求項１０】
前記装身具本体の前記凹所を除く表面は、研磨により下地金属が露出した下地金属露出面であることを特徴とする請求項４又は９に記載の装身具。
【請求項１１】
前記装身具本体は、指輪形状を呈していることを特徴とする前記何れか一項に記載の装身具。
【請求項１２】
前記装身具本体は、ペンダント形状を呈していることを特徴とする請求項１乃至１０の何れか一項に記載の装身具。
【請求項１３】
前記装身具本体は、ブローチ形状を呈していることを特徴とする請求項１乃至１０の何れか一項に記載の装身具。
【請求項１４】
前記特定の絵柄は、豹柄であることを特徴とする請求項前記何れか一項に記載の装身具。
【考案の詳細な説明】
【技術分野】
【０００１】  本考案は、身体又は被服に取り付けられる指輪やネックレス、ペンダント、イヤリング等の装身具に関する。
【背景技術】
【０００２】  従来より、貴金属の下地金属及び／又は下地金属上の金属メッキ層を加工して模様が付けられた指輪あるいはその他の装身具が、種々提案されている。【０００３】  例えば、特許文献１には、貴金属の下地金属及び／又は下地金属上の金属メッキ層に対する模様の加工に際し、線状の深さ、長さ、線幅方向のピッチに変化を付けて光反射の異なる領域を加工する技術が開示されている。
【先行技術文献】
【特許文献】
【０００４】
【特許文献１】  特許第４１３８８６６号特許公報
【考案の概要】
【考案が解決しようとする課題】
【０００５】  しかしながら、このような従来の反射係数の変化により絵柄を浮き立たせる技術が施された装身具は、その加工が複雑で高価なものとなり、広く普及する状況に無かった。【０００６】  また、この従来の加工技術で加工された装身具は、線状の引っかき傷を形成させる際に、その線状の深さ、長さ、線幅方向のピッチに変化を付けて光反射の異なる領域を設けることにより、所定の絵柄を浮き出るようにしている為、長期の使用により加工線が汚れで埋まってしまう可能性が高く、汚れた場合、その絵柄がかすんでしまい見難くなる不具合も指摘されている。
【課題を解決するための手段】
【０００７】  この考案の目的は、上述した事情に鑑みなされたもので、この考案の目的は、長期の使用にも、初期設定した絵柄が確実に見えると共に、安価に製造される装身具を提供することである。【０００８】  上述した課題を解決し、目的を達成するため、この考案に係わる装身具は、請求項１の記載によれば、下地金属から構成される装身具本体と、この装身具本体の外表面に、特定の絵柄を規定するように形成された複数の凹所と、各凹所の少なくとも底面に配設され、前記下地金属とは異なる材質の材料からなるメッキ層とを具備し、前記装身具本体１２の前記凹所１４以外の外表面を、前記下地金属の露出面とすることで、前記装身具本体の外表面に、前記特定の絵柄が浮き出るようにしたことを特徴としている。【０００９】  また、この考案に係わる装身具は、請求項２の記載によれば、前記下地金属は、貴金属から構成されることを特徴としている。【００１０】  また、この考案に係わる装身具は、請求項３の記載によれば、前記メッキ層は、ブラックメッキ塗装により形成された層であることを特徴としている。【００１１】  また、この考案に係わる装身具は、請求項４の記載によれば、前記メッキ層の厚さは、前記凹所の深さよりも薄く設定されていることを特徴としている。【００１２】  また、この考案に係わる装身具は、請求項５の記載によれば、各凹所の底面に形成された複数の立爪と、各立爪に係止された輝石とを更に具備し、前記立爪は、前記凹所の前記底面に、一体的に形成されていることを特徴している。【００１３】  また、この考案に係わる装身具は、請求項６の記載によれば、前記輝石は、前記凹所の底面に全面に渡り配設されていることを特徴としている。【００１４】  また、この考案に係わる装身具は、請求項７の記載によれば、前記輝石は、メレダイヤであることを特徴としている。【００１５】  また、この考案に係わる装身具は、請求項８の記載によれば、前記メッキ層は、前記立爪を含んで形成されていることを特徴としている。【００１６】  また、この考案に係わる装身具は、請求項９の記載によれば、前記立爪に取り付けられたメレダイヤの前記凹所の底面からの高さは、前記凹所の深さよりも低く設定されていることを特徴としている。【００１７】  また、この考案に係わる装身具は、請求項１０の記載によれば、前記装身具本体の前記凹所を除く表面は、研磨により下地金属が露出した下地金属露出面であることを特徴としている。【００１８】  また、この考案に係わる装身具は、請求項１１の記載によれば、前記装身具本体は、指輪形状を呈していることを特徴としている。【００１９】  また、この考案に係わる装身具は、請求項１２の記載によれば、前記装身具本体は、ペンダント形状を呈していることを特徴としている。【００２０】  また、この考案に係わる装身具は、請求項１３の記載によれば、前記装身具本体は、ブローチ形状を呈していることを特徴としている。【００２１】  また、この考案に係わる装身具は、請求項１４の記載によれば、前記特定の絵柄は、豹柄であることを特徴としている。
【考案の効果】
【００２２】  この考案によれば、長期の使用にも、初期設定した絵柄が確実に見えると共に、安価に製造される装身具を提供することができる。
【図面の簡単な説明】
【００２３】
【図１】  この考案に係わる第１の実施例の装身具の構造を示す平面図である。
【図２】  図１示す装身具を、図１のＩＩ−ＩＩ線に沿って切断して示す部分縦断面図である。
【図３】  この考案に係わる第２の実施例の装身具の構造を示す平面図である。
【図４】  図３に示す装身具を、図３のＩＶ−ＩＶ線に沿って切断して、模式的に示す部分断面図である。
【考案を実施するための形態】
【実施例】
【００２４】  以下に図面を用いて本考案の実施例を説明する。なお、この実施例において、本考案の装身具を指輪に適用した場合につき説明しているが、この考案は、このような適用に限定されること無く、ペンダント、ブローチ等、所謂装身具に分類されるものであれば、何れにも適用できることは言うまでも無い。【００２５】  ＜第１の実施例＞
まず、添付図面の図１及び図２を用いて、本考案に係わる第１の実施例の装身具１０の構成を説明する。【００２６】  図１は、第１の実施例の装身具１０を示す平面図であり、図２は、図１に示す装身具１０のＩＩ−ＩＩ線に沿って切断して示す部分縦断面図である。【００２７】  図１に示すように、装身具としての指輪１０は、貴金属、例えば１８金のゴールドを下地金属としてリング状に形成された装身具本体１２と、この装身具本体１２の外表面に、特定の絵柄、例えば豹柄を規定するように形成された複数の凹所１４と、各凹所１４の少なくとも底面に、前記下地金属とは異なる材質の材料、例えばブラックメッキ処理されたメッキ層１６とを備えて構成されている。【００２８】  ここで、この第１の実施例においては、装身具本体１２の表面において、凹所１４を除く外表面は、下地金属としてのゴールドの地肌が露出していて、黄金色Ａを呈しており、凹所１４の底面は、ブラックメッキが施されていて、黒色Ｂを呈している。このようにして、多数の凹所１４の形状及び配設状態と相まって、装身具１０としての指輪の外表面は所謂「豹柄」を呈する状態となされている。【００２９】  一方、図１におけるＩＩ−ＩＩ線に沿った断面形状として図２に示すように、凹所１４の深さをＨ１とし、メッキ層１６の厚さをＨ２とした場合に、メッキ層１６の厚さＨ２は、凹所１４の深さＨ１よりも薄く設定されている。換言すれば、メッキ層１６の上面は、凹所１４の内部に収まっていて、装身具本体１２の外表面から外方に突出しない構造となっている。この結果、メッキ層１６の表面は、装着時においても傷つき難い構造となり、長期に渡り使用したとしても、その表面が傷ついて光沢が悪くなる恐れも、可及的に低減されることになる。【００３０】  この効果は、単に、リング状の装身具本体の外表面に、メッキ層を盛り上がった状態で形成することと比較すれば、容易に理解できるものである。
次に、上述した第１の実施例に係わる構造の装身具１０の製造方法について、簡単に説明する。【００３１】  先ず、図示しない型装置を用いて、外表面に複数の凹所１４を備えた装身具本体１２を型形成する。そして、この装身具本体１２を、図示しないブラックメッキ装置に入れて、装身具本体１２の表面を、全面に渡りブラックメッキする。このメッキ工程を経ることにより、装身具本体１２の全表面には、メッキ層１６、より具体的には、ブラックメッキ層が形成されることになる。【００３２】  この後、装身具本体１２の外表面を研磨して、メッキ層１６を取り除く。この結果、外表面よりも凹んだ凹所１４の底面及び周面は、研磨されることが無いので、メッキ層１６が残ることになる。即ち、研磨後の装身具本体１２の外表面には、凹所１４の部分がメッキ層１６の黒色Ｂを呈し、その他の表面が、装身具本体１２の下地金属としてのゴールドが露出して黄金色Ａを呈することになる。このようにして、全体観察において、装身具１０の外表面には、黄金色Ａの地に、黒色Ｂの斑点模様が散りばめられた所謂「豹柄」が呈される事になる。【００３３】  このように、この装身具１０を加工する工程においては、下地金属からなる装身具本体１２を全体的にブラックメッキし、その後、装身具本体１２の表面を研磨する際に、凹所１４の凹んだ面は研磨されないので、メッキ層１６が残ってブラックメッキの黒色Ｂを呈し、他の面は、研磨されて下地金属の地色Ａが露出されると言う、極めて簡単な工程で済むので、この豹柄を呈する装身具１０を、極めて安価に提供することが出来ることになる。【００３４】  ＜第２の実施例＞
次に、図３及び図４を用いて、本考案に係わる装身具の第２の実施例の構成を説明する。尚、上述した第１の実施例と同一な構成には同じ符号を付してその説明を省略する。【００３５】  上述した第１の実施例においては、豹柄を規定する部分を、凹所１４に形成されたメッキ層、具体的には、ブラックメッキ層から構成されるように説明したが、この考案に係わる装身具１０は、このような構成に限定されること無く、図３及び図４に第２の実施例として示すように、輝石２０を凹所１４内に散りばめ配設して豹柄を規定するようにして、より豪華な装身具として構成しても良いものである。【００３６】  具体的には、図３におけるＩＶ−ＩＶ線に沿った断面形状として図４に示すように、凹所１４の底面上には、装身具本体１２を型製造する際に、予め、立爪１８が一体的に形成されていて、各一対の立爪１８に、極小の輝石２０が係止されている。そして、この立爪１８は、輝石２０が凹所１４内に散りばめられているが如く見えるように、配設されている。【００３７】  また、極小の輝石２０は、この第２の実施例においては、メレダイヤから構成されていて、凹所１４が全面に渡り、黒く裏張りされた状態で光り輝くように設定され、特有の輝きを呈する状態となっている。尚、極小の輝石２０として、メレダイヤを用いることに限定されること無く、他の極小の宝石を用いることができることは、言うまでも無い。【００３８】  一方、凹所１４の深さをＨ１とし、凹所１４の底面から輝石２０のトップまでの高さをＨ３とした場合に、輝石２０の高さＨ３は、凹所１４の深さＨ１よりも低く設定されている。換言すれば、輝石２０のトップは、凹所１４の内部に収まっていて、装身具本体１２の外表面から外方に突出しない構造となっている。この結果、輝石２０のトップにより他のものを傷つけ難い構造となり、また、輝石２０が他から傷つけられ難い構造となり、長期に渡り使用したとしても、輝石２０が傷ついて損なわれる恐れも、可及的に低減されることになる【００３９】  次に、上述した第２の実施例に係わる構造の装身具１０の製造方法について、簡単に説明する。【００４０】  先ず、図示しない型装置を用いて、外表面に複数の凹所１４を備え、各凹所１４の底面には、複数対の立爪１８が一体的に形成された装身具本体１２を型形成する。そして、各対の立爪１８に、微小の輝石２０としてのメレダイヤを係止する。このように、メレダイヤ２０が取り付けられた装身具本体１２を、図示しないブラックメッキ装置に入れて、装身具本体１２の表面を、全面に渡りブラックメッキする。このメッキ工程を経ることにより、装身具本体１２の全表面には、メッキ層１６、より具体的には、ブラックメッキ層が形成されることになる。尚、メレダイヤ２０は、導電性を有していないので、メッキ装置に入れてメッキをかけたとして、メレダイヤ２０の表面は何等メッキされることはない。【００４１】  この後、装身具本体１２の外表面を研磨して、メッキ層１６を取り除く。この結果、外表面よりも凹んだ凹所１４の底面及び周面は、研磨されることが無いので、メッキ層１６が残ることになる。即ち、研磨後の装身具本体１２の外表面には、凹所１４の部分がメッキ層１６の黒色Ｂを呈すると共���黒色Ｂに裏打ちされた状態でメレダイヤ２０が配設され、その他の表面が、装身具本体１２の下地金属としてのゴールドが露出して黄金色Ａを呈することになる。このようにして、全体観察において、装身具１０の外表面には、黄金色Ａの地に、黒色Ｂに裏打ちされたメレダイヤ２０群の斑点模様が散りばめられた豪華な所謂「豹柄」が呈される事になる。【００４２】  このように、この装身具１０を加工する工程においては、メレダイヤ２０が係止された状態で、下地金属からなる装身具本体１２を全体的にブラックメッキし、その後、装身具本体１２の表面を研磨する際に、凹所１４の凹んだ面は研磨されないので、メレダイヤ２０が研磨により傷つけられることなく、底面に残されたメッキ層１６の黒色Ｂにより裏打ちをされた状態でメレダイヤ２０が輝く状態を呈し、他の面は、研磨されて下地金属の地色Ａが露出されると言う、極めて簡単な工程で済むので、このメレダイヤ２０により豹柄を呈する豪華な装身具１０を、前記第１の実施例ほどではないが、充分に安価に提供することが出来ることになる。【００４３】  尚、上述した第１及び第２の実施例においては、メッキ層を、ブラックメッキされた層として説明したが、この考案はこれに限定されること無く、例えば、ピンクメッキやパナジウムメッキ、ロジウムメッキ等、他の金属材料によるメッキであっても良いことは、言うまでも無い。要は、メッキされる金属材料としては、下地金属の材料とは異なる金属材料であれば、何でも良い。【００４４】  また、メッキ層を形成する工程において、装身具本体１２を全体的にメッキさせるように説明したが、この考案はこれに限定されること無く、例えば、凹所１４の底面にのみメッキさせるスポットメッキ工法を用いて、部分的にメッキさせることも可能であることは言うまでも無い。要は、装身具１０として完成した際に、凹所１４の底面に部分的にメッキ層１６が形成されていれば、その工法は何でも良い。
【符号の説明】
【００４５】１０…装身具
１２…装身具本体
１４…凹所
１６…メッキ層（ブラックメッキ層）
１８…立爪
２０…輝石（メレダイヤ）
Ａ…黄金色（下地金属の露出面）
Ｂ…黒色（メッキ層の表面）
Ｈ１…凹所１４の深さ
Ｈ２…メッキ層１６の厚さ
Ｈ３…凹所１４の底面から輝石２０のトップまでの高さ
【図１】
0003176553.tif 000003
【図２】
0003176553.tif 000004
【図３】
0003176553.tif 000005
【図４】
0003176553.tif 000006
【手続補正書】
【提出日】平成24年3月28日(2012.3.28)
【手続補正１】
【補正対象書類名】実用新案登録請求の範囲
【補正対象項目名】請求項１１
【補正方法】変更
【補正の内容】
【請求項１１】
前記装身具本体は、指輪形状を呈していることを特徴とする請求項１乃至１０の何れか一項に記載の装身具。
【手続補正２】
【補正対象書類名】実用新案登録請求の範囲
【補正対象項目名】請求項１４
【補正方法】変更
【補正の内容】
【請求項１４】
前記特定の絵柄は、豹柄であることを特徴とする請求項１乃至１３の何れか一項に記載の装身具。